(57)【要約】      （修正有）【課題】自動車等の車輌に使用するエンジン部分と燃料タンクとの間に介在して磁力による反発、吸引の繰り返しによって自動車のエンジン部より排出する黒煙等を減少すると共に、省エネ用に供することができる磁気装置を提供する。【解決手段】磁気装置本体は、燃料タンクと、エンジン部の手前の間に装設使用するもので、磁気装置本体は、長手方向の相対向する２組の磁力体を以って断面四角状に形成され、その内部には、ガソリン等の燃料を送流する流通管体を挿通し、その先端はエンジン部に接続されている。流通管体を挿通する磁気装置本体の相対する４個の磁力体は、各々長手方向の鉄製の断面凹状枠の内部に断面方形状の磁石を嵌合収納してある。また、相対向する２組の磁力体には、１組目の磁石の対向する表面をＮ極とＳ極とし、他の２組目の対向する表面をＮ極とＳ極とに各々対面させてある。【選択図】図２
2005214188.tif 000002
【特許請求の範囲】
【請求項１】
磁気装置本体（１）は、燃料タンク（１０）と、エンジン部（１２）との間に装着され、該磁気装置本体（１）には、外周に相対向する２組の磁力体（２）（２）…を各対設し、該磁力体（２）（２）は、長手方向の鉄製の断面凹状枠（５）の内部に断面方形状の磁石（３）を収納し、且つ該磁気装置本体（１）には、長手方向の内部に燃料供給用の流通管体（６）を挿通した事を特徴とした自動車等の黒煙減少及び省エネ用磁気装置。
【請求項２】
磁気装置本体（１）の相対向する内部の２組の磁力体（２）（２）…には、相対向する１組の磁石（３）（３）の対向する表面をＮ極とＳ極とに対面し、２組目の相対向する磁石（３）（３）の対向する表面をＮ極とＳ極とに各々対応したことを特徴とする請求項１の自動車等の黒煙減少及び省エネ用磁気装置。
【請求項３】
請求項１の磁気装置本体（１）を、空気供給用の空気部（１１）と、エンジン部（１２）との間に設置し、燃料効率を高めることを特徴とする請求項１の自動車等の黒煙減少及び省エネ用磁気装置。
【発明の詳細な説明】
【技術分野】
【０００１】  本発明は、自動車等の各種車輌における石油等を使用するエンジン部分と燃料タンクとの間に装設して磁力の反発、吸引の繰り返しによって燃料の細分化を達成し、黒煙等の公害物質の減少と省エネに供するための自動車等の黒煙減少及び省エネ用磁気装置に関するものである。
【背景技術】
【０００２】  従来この種の各車輌における黒煙等の有害ガスを減少するための手段としては、種々散見されているが、最近では、エンジン部より排出される排気ガスの処理としては、排気口の出口側の手前にカセット等の各種構造のフィルターを充填したマフラー等によって各種有害ガスを処理排出することが一般的に実施されている現状である。
【発明の開示】
【発明が解決しよとうする課題】
【０００３】  従来の技術で述べたものでは、自動車等のエンジン部分より排出側に装着され、排気ガスが完全燃焼しないで未燃焼のままの粒子が黒煙等の有害物質となって排出するするために、最近では規制が大変に厳しくなり、改善は順次されてはいるが、装置自体が非常に大型となると共に、大変に高価となるため、実需に合わない問題点がある。
また、排出口側に規制に対応する改善装置を取り付けると、スペースを必要とし、且つ全体の重量に関係して能率の減少及びガソリン等の消費にも多大の影響が生ずると云う問題点もある。
本発明は、従来の技術を有する各問題点を改善するもので、その主たる目的とする所は、燃料タンクからエンジン部分に燃料が注入されるエンジン部の手前に本磁気装置を装着し、装置内部の磁石の交互の組合わせによる反発、吸引等を繰り返した中を各燃料を通過させて燃料の構成を細分化したものをエンジンルーム内に送り込んで燃焼効率を著しく高め、黒煙等の公害の排出の防止と、燃料の節約との役目を果すと共に、非常に小型で軽量化され、且つ外観的にも優れた自動車等の黒煙減少及び省エネ用磁気装置を提供するものである。
【課題を解決するための手段】
【０００４】  上記目的を達成するために、本発明は、磁気装置本体を燃料タンクと、エンジン部との間に装着するものである。この該磁気装置本体は、長手方向に形成され、内部に液料が通る流通管体が挿通される。該流通管体には、外周に相対向する２組の長手方向の磁力体を各対設する。この該磁力体は、長手方向の鉄製の断面凹状枠と、内部に嵌合する断面方形状の磁石とより構成されている。
また、磁気装置本体の相対向する２組の磁力体は、その相対向する１組目の磁石の対向する表面をＮ極とＳ極とにする。２組目の相対向する磁石の対向する表面もＮ極とＳ極とに各々対応させてある。
更に、磁気装置本体を空気を送る空気部と、該エンジン部との間に装設して効率の向上のための空気の追加注入をするものもある。
【発明の効果】
【０００５】  本発明は、以上の様に構成され、従来の使用されている排出ガスの燃焼を改善処理する装置のものと比較すると、著しく構造が簡単で小型化され、装設も極めて容易であると共に、非常に軽量でエンジン部に対して燃焼効率が向上すると云う優れた効果がある。
そして、磁気装置本体は、燃料タンクと、エンジン部との手前の中間に装設したことにより、エンジン部に侵入する時には、磁束により燃料の構成を細分化するので、燃料効率を著しく向上できる優れた効果がある。また、該磁気装置本体には、相対向する２組の磁力体を以って方形状に形成したので、内部に挿通する燃料供給用の管体の挿入が容易確実である効果と、管体の内部を通過する燃料は、長手方向の磁力体の磁束により燃料は著しく細分化された後にエンジン部に送り込むため燃焼効力に優れ、黒煙の発生を減少する効果がある。更に、該磁力体は、鉄製の断面凹状枠の内部に断面方形状の磁石を嵌合したので、磁力は著しく強力化する効果と、相対する４個からなる磁石の組み合せによって、充分に磁束効果を向上させる効果もある。また、磁気装置本体を別個に設けた空気供給用の空気部と、エンジン部との間に装着したことによって、エンジン部の内部に空気を追加供給することによって、更に一段の燃焼効率を高める公害を防止することができる効果がある。
更に、本発明の磁気装置によれば、磁石の磁束を利用し、半金属元素である炭素に磁石の磁束を与える事により、少ないエネルギーを加える事になり、これらの最外殻電子を動かし、炭素の結合度をゆるめ、炭素数を少なくすることで引火点の温度が下がる効果がある。
【発明を実施するための最良の形態】
【０００６】  磁気装置本体は、図２に示すように、内部にゴムパイプ等よりなる流通管体を挿通し、その流通管体の一方は、燃料タンクに接続し、他方はエンジン部に接続される。燃料である石油は、該磁気装置本体の内部を通過する時に相対向する２組の磁力体の内部において、反発、吸引等の繰り返し工程によって、燃料の構成は、細分化された後にエンジンルーム内に注入されて燃焼させるものである。
【実施例１】
【０００７】  本発明の実施例を図面について説明すると、図１は、本発明の磁気装置本体（１）を燃料タンク（１０）と、エンジン部（１２）の前との間に各流通管体（６）（６）を介して装設してある。
図２、図３の実施例は、長手方向の該磁気装置本体（１）を示し、その内部には、ゴムパイプ等よりなる該流通管体（６）を挿通してある。該流通管体（６）には、外周に相対向する長手方向の２組の磁力体（２）（２）…を対設して４個を組み立てて方形状に形成してある。
該磁力体（２）（２）…は、長手方向の鉄製の断面凹状枠（５）（５）を形成し、該断面凹状枠（５）（５）には、内部の凹部全体に断面方形状の磁石（３）（３）を嵌合収納してある。【０００８】  図２に示す、全体斜面図の実施例では、相対向する４個の磁力体（２）（２）の内部に設けた空間部に燃料が矢印で方向を示す。入力側（７）から出口側（８）に流れる例えばゴムパイプ等の流通管体（６）を挿通してある。
更に、図３に示す断面図のものは、磁気装置本体（１）に設けた相対向する２組の磁力体（２）（２）には、１組目の磁石（３）（３）の対向する表面をＮ極とＳ極とに対面する。また、２組目の磁石（３）（３）の対向する表面をＮ極とＳ極とに対面してある。
以上の磁力体（２）（２）の配置位置は、Ｎ極の一方の隣接する位置にＮ極を位置し、各々Ｎ極の隣接する他方の位置には、Ｓ極とＳ極は各々位置する配置となっている。そして、表面がＳ極の２組の磁石（３）（３）には、当然にＳ極とＳ極との隣接されている位置に１組は配置されている。
【実施例２】
【０００９】  本発明の図１に示す磁気装置本体（１）の他の実施例は、エンジン部（１２）と燃料タンク（１０）の間に該磁気装置本体（１）を介在するのと同様に、エンジン部（１２）に空気を供給する空気部（１１）との間に磁気装置本体（１）を設置し、空気を流通管体（６）によってエンジン部（１２）に空気を送り燃焼効率を高める特徴がある。符号（１３）は、エンジン部（１２）よりの排出される排気部を示したものである。
【実験例】
【００１０】  次に、本発明の磁気装置本体を燃料タンク（１０）とエンジン部（１２）との間に装設して使用した結果を下記に述べる。
【００１１】  黒煙濃度試験結果
2005214188.tif 000003
2005214188.tif 000004
ｃドライバーの感想
装着時のアクセルの吹き上がりが４人乗車中にもかかわらず、とても良い。
ｄ燃料テスト
現在データ取りの最中。
【図面の簡単な説明】
【００１２】
【図１】  本発明の磁気装置を燃料タンクとエンジン部及び空気部とエンジン部との間に装設した状態の配置図である。
【図２】  本発明の磁気装置本体の一部欠除した全体の斜面図である。
【図３】  同じく本発明の磁石装置本体の縦断側面図である。
【図４】  本発明の磁力体の１個の全体斜面図を示したものである。
【符号の説明】
【００１３】１        磁気装置本体
２        磁力体
３        磁石
５        断面凹状枠
６        流通管体
７        入力側
８        出口側
１０      燃料タンク
１１      空気室
１２      エンジン部
１３      排出部
【図１】
2005214188.tif 000005
【図２】
2005214188.tif 000006
【図３】
2005214188.tif 000007
【図４】
2005214188.tif 000008